(57)【要約】【課題】光学パッケージ、光学レンズ、これを有するバックライトアセンブリ、及び表示装置が開示される。【解決手段】光学レンズは、中心レンズ部、周辺レンズ部、及び導光部を含む。光学パッケージは、複数の発光部及びレンズプレートを含む。レンズプレートは、発光部のそれぞれに対応してレンズ部を定義して、レンズ部のそれぞれのサイド方向に延長された導光部を有する。これによって、発光部上に配置される光学レンズに導光機能を付与することによって、発光ダイオードから出射される光の均一度を向上させることができる。【選択図】図１
2006302863.tif 000002
【特許請求の範囲】
【請求項１】
複数の発光部と、
前記発光部のそれぞれに対応してレンズ部を定義して、前記レンズ部のそれぞれのサイド方向に延長された導光部を有するレンズプレートと、を含む光学パッケージ。
【請求項２】
前記レンズ部のそれぞれは、平面で観察する時に円形形状であることを特徴とする請求項１記載の光学パッケージ。
【請求項３】
前記導光部の一面は、前記レンズ部のエッジから延長された平面であることを特徴とする請求項１記載の光学パッケージ。
【請求項４】
前記導光部の一面は、前記レンズ部のエッジから延長された傾斜する曲面であることを特徴とする請求項１記載の光学パッケージ。
【請求項５】
前記レンズ部は中心部が凸形状を有し、周辺部が前記中心部を外側で収容する凹形状を有することを特徴とする請求項１記載の光学パッケージ。
【請求項６】
前記凸形状は複数の可変曲率によって定義され、前記凹形状は複数の可変曲率によって定義されることを特徴とする請求項５記載の光学パッケージ。
【請求項７】
前記レンズ部は、頂点部が後退された凸形状を有することを特徴とする請求項５記載の光学パッケージ。
【請求項８】
前記中心部は頂点部が後退された凸形状を有し、前記凸形状は複数の可変曲率によって定義され、前記凹形状は複数の可変曲率によって定義されることを特徴とする請求項５記載の光学パッケージ。
【請求項９】
前記凸形状は中心部から周辺部に進行するにつれて、２．７６ｍｍの曲率半径、１．９８ｍｍの曲率半径、２．１５ｍｍの曲率半径、４．０７ｍｍの曲率半径、及び２２．９７ｍｍの曲率半径によって定義されることを特徴とする請求項８記載の光学パッケージ。
【請求項１０】
前記レンズ部の背面部には、前記発光部を収容する溝が形成されることを特徴とする請求項１記載の光学パッケージ。
【請求項１１】
前記レンズ部は、前記溝を経由して前記発光部と密着することを特徴とする請求項１０記載の光学パッケージ。
【請求項１２】
前記溝には空気層が形成され、前記発光部から発散された光は、前記空気層を経由して前記レンズ部及び導光部に印加されることを特徴とする請求項１０記載の光学パッケージ。
【請求項１３】
発光部と、
凸形状を有して前記発光部上に配置された中心レンズ部と、凹形状を有して前記中心レンズ部の外側に形成された周辺レンズ部と、前記周辺レンズ部から延長された導光部を定義する光学レンズと、を含む光学パッケージ。
【請求項１４】
前記周辺レンズ部は、平面で観察する時に円形形状であることを特徴とする請求項１３記載の光学パッケージ。
【請求項１５】
前記導光部は、前記周辺レンズ部を取り囲む四角形状であることを特徴とする請求項１４記載の光学パッケージ。
【請求項１６】
前記凸形状は複数の可変曲率によって定義され、前記凹形状は複数の可変曲率によって定義されることを特徴とする請求項１３記載の光学パッケージ。
【請求項１７】
前記中心レンズ部は、頂点部が後退された凸形状を有し、前記頂点部が後退された凸形状は複数の可変曲率によって定義され、前記凹形状は複数の可変曲率によって定義されることを特徴とする請求項１３記載の光学パッケージ。
【請求項１８】
前記頂点部が後退された凸形状は、中心部から周辺部に進行するにつれて、前記中心レンズ部にセンターを有して、２．７６ｍｍの曲率半径、１．９８ｍｍの曲率半径、及び２．１５ｍｍの曲率半径によって定義される曲面と、正面側にセンターを有して、２２．９７ｍｍの曲率半径、１３．７４ｍｍの曲率半径、４．０７ｍｍの曲率半径、及び２．７０ｍｍの曲率半径によって定義される曲面によって定義されることを特徴とする請求項１７記載の光学パッケージ。
【請求項１９】
前記中心レンズ部の背面には、前記発光部を収容する溝が形成されることを特徴とする請求項１３記載の光学パッケージ。
【請求項２０】
前記中心レンズ部は、前記溝を経由して前記発光部と密着して、前記発光部から発散された光は、前記中心レンズ部、周辺レンズ部、及び導光部に直接印加されることを特徴とする請求項１９記載の光学パッケージ。
【請求項２１】
前記溝には空気層が形成され、前記発光部から発散された光は、前記空気層を経由して前記中心レンズ部、周辺レンズ部、及び導光部に印加されることを特徴とする請求項１９記載の光学パッケージ。
【請求項２２】
前記導光部のフロント面は、前記周辺レンズ部のエッジから延長された平面であることを特徴とする請求項１３記載の光学パッケージ。
【請求項２３】
前記導光部のフロント面は、前記周辺レンズ部のエッジから延長されながら傾斜する曲面であることを特徴とする請求項１３記載の光学パッケージ。
【請求項２４】
前記導光部の厚さは、４．５ｍｍ以下であることを特徴とする請求項１３記載の光学パッケージ。
【請求項２５】
前記導光部の材質は、前記周辺レンズ部の材質と同じであることを特徴とする請求項１３記載の光学パッケージ。
【請求項２６】
凸形状を有する中心レンズ部と、
凹形状を有して、前記中心レンズ部の外側に形成された周辺レンズ部と、
前記周辺レンズ部から延長された導光部と、を含む光学レンズ。
【請求項２７】
前記凸形状は複数の可変曲率によって定義され、前記凹形状は複数の可変曲率によって定義されることを特徴とする請求項２６記載の光学レンズ。
【請求項２８】
前記導光部の厚さは、均一であることを特徴とする請求項２６記載の光学レンズ。
【請求項２９】
前記導光部の厚さは、前記中心レンズ部から離れるほど薄くなることを特徴とする請求項２６記載の光学レンズ。
【請求項３０】
前記中心レンズ部は、頂点部が後退された凸形状を有することを特徴とする請求項２６記載の光学レンズ。
【請求項３１】
前記中心レンズ部、周辺レンズ部、及び導光部の材質は、ポリメチルメタクリレート系列レジン（ｐｏｌｙｍｅｔｈｙｌｍｅｔｈａｃｒｙｌａｔｅ−ｓｅｒｉｓｅｓ  ｒｅｓｉｎ、ＰＭＭＡ）であることを特徴とする請求項２６記載の光学レンズ。
【請求項３２】
第１領域及び前記第１領域を取り囲む第２領域を有するベース基板と、
複数の発光部と前記発光部に対応する複数の光学レンズを含んで、前記第１領域に配置された光学パッケージと、を含み、
前記光学レンズのそれぞれは、凸形状を有する中心レンズ部と、凹形状を有して前記中心レンズ部の外側に形成された周辺レンズ部と、前記周辺レンズ部から延長された導光部を定義することを特徴とするバックライトアセンブリ。
【請求項３３】
前記ベース基板の第２領域上に配置され、前記発光部から出射された光を反射する反射部を更に含むことを特徴とする請求項３２記載のバックライトアセンブリ。
【請求項３４】
前記発光部は、点光源であることを特徴とする請求項３２記載のバックライトアセンブリ。
【請求項３５】
前記発光部は、発光ダイオードであることを特徴とする請求項３２記載のバックライトアセンブリ。
【請求項３６】
互いに隣接する光学レンズの間には、中間導光部材が更に介在されることを特徴とする請求項３２記載のバックライトアセンブリ。
【請求項３７】
前記中間導光部材は、シリコンを含むことを特徴とする請求項３６記載のバックライトアセンブリ。
【請求項３８】
第１領域及び前記第１領域を取り囲む第２領域を有するベース基板と、
前記第１領域に配置され、
（ａ）複数の発光部と、
（ｂ）凸形状の中心部を収容する凹形状を有して、前記発光部のそれぞれに対応して複数のレンズ部を定義しながら、前記レンズ部のそれぞれのサイド方向に延長されたレンズプレートを含む光学パッケージと、を含むことを特徴とするバックライトアセンブリ。
【請求項３９】
前記ベース基板の第２領域上に配置され、前記発光部から出射された光を反射する反射部を更に含むことを特徴とする請求項３８記載のバックライトアセンブリ。
【請求項４０】
前記発光部は、点光源であることを特徴とする請求項３８記載のバックライトアセンブリ。
【請求項４１】
前記発光部は、発光ダイオードであることを特徴とする請求項３８記載のバックライトアセンブリ。
【請求項４２】
前記発光部は、赤色発光素子、緑色発光素子、青色発光素子を含むことを特徴とする請求項３８記載のバックライトアセンブリ。
【請求項４３】
前記発光部は、１つの赤色発光素子、２つの緑色発光素子、１つの青色発光素子を含むことを特徴とする請求項３８記載のバックライトアセンブリ。
【請求項４４】
光を利用して画像を表示する表示パネルと、
（ａ）第１領域及び前記第１領域を取り囲む第２領域を有するベース基板と、
（ｂ）前記第１領域に配置された複数の発光部と、
（ｃ）凸形状を有して前記発光部のそれぞれをカバーする複数の中心レンズ部、凹形状を有して前記中心レンズ部の外側に形成された周辺レンズ部、及び前記周辺レンズ部から延長された導光部を定義する複数の光学レンズを含んで前記表示パネルに光を出射するバックライトアセンブリと、を含むことを特徴とする表示装置。
【請求項４５】
光を利用して画像を表示する表示パネルと、
（ａ）第１領域及び前記第１領域を取り囲む第２領域を有するベース基板と、
（ｂ）前記第１領域に配置された複数の発光部と、
（ｃ）凸形状の中心部を収容する凹形状を有して、前記発光部のそれぞれに対応して複数のレンズ部を定義しながら、前記レンズ部のそれぞれのサイド方向に延長されたレンズプレートを含んで前記表示パネルに光を出射するバックライトアセンブリと、を含むことを特徴とする表示装置。
【発明の詳細な説明】
【技術分野】
【０００１】
本発明は、光学パッケージ、光学レンズ、これを有するバックライトアセンブリ、及び表示装置に係る。
【背景技術】
【０００２】
一般に、複数の発光ダイオード（ＬＥＤ）を具備する直下型バックライトユニット（ＢＬＵ）は、フロント方向に向かって集中される光をより均一に拡散させるために導光板を具備する。
前記導光板は、主にポリメチルメタクリレート系列レジン（ＰＭＭＡ）で製造される。前記導光板の屈折率はほぼ１．５である。前記導光板の屈折率は空気の屈折率より大きいので、外部から入射される光は、前記導光板の内部で全反射されながら進行され、結局、光を均一に拡散させる役割を果たす。
【発明の開示】
【発明が解決しようとする課題】
【０００３】
ここで、バックライトユニットを採用するＬＣＤ  ＴＶやモニターはスリム化が要求されており、一定の厚さを有する導光板を使用するのに限界がある。
又、充分なカラーの混合領域が確保されないと、導光板を使用しても発光ダイオードのそれぞれから発散される赤色、緑色、青色の斑点が見えることになる。従って、均一な背面光を得ることができないという問題点がある。
【０００４】
即ち、導光板の存在とは関係なく、カラー混合領域が充分に確保されないと、各発光ダイオードから発散される光の斑が人の目で確認できる程度に見えることになるという問題点がある。
本発明の技術的課題は、このような従来の問題点を解決するためのもので、本発明の目的は、背面光の均一度を向上することができる光学パッケージを提供することにある。
【０００５】
本発明の他の目的は、前記した光学パッケージに採用される光学レンズを提供することにある。
本発明の更に他の目的は、前記した光学パッケージを有するバックライトアセンブリを提供することにある。
本発明の更に他の目的は、前記した光学パッケージを有する表示装置を提供することにある。
【課題を解決するための手段】
【０００６】
本願第１発明は、複数の発光部と、前記発光部のそれぞれに対応してレンズ部を定義して、前記レンズ部のそれぞれのサイド方向に延長された導光部を有するレンズプレートと、を含む光学パッケージを提供する。
本願第２発明は、第１発明において、前記レンズ部は、凸形状を有して前記発光部上に配置された中心レンズ部と、凹形状を有して前記中心レンズ部の外側に形成された周辺レンズ部とを含み、前記導光部は、前記周辺レンズ部から延長されて形成されている、光学パッケージを提供する。
【０００７】
ここで、本願第２発明の前記周辺レンズ部は、平面で観察する時に円形形状であることを特徴とする光学パッケージを提供する。
ここで、本願第２発明の前記導光部は、前記周辺レンズ部を取り囲む四角形状であることを特徴とする光学パッケージであると好ましい。
ここで、本願第２発明の前記凸形状は複数の可変曲率によって定義され、前記凹形状は複数の可変曲率によって定義されることを特徴とする光学パッケージであると好ましい。
【０００８】
ここで、本願第２発明の前記中心レンズ部は、頂点部が中心部から離隔された凸形状を有し、前記頂点部が中心部から離隔された凸形状は複数の可変曲率によって定義され、前記凹形状は複数の可変曲率によって定義されることを特徴とする光学パッケージであると好ましい。
ここで、本願第２発明の前記頂点部が中心部から離隔された凸形状は、中心部から周辺部に進行するにつれて、前記中心レンズ部にセンターを有して、２．７６ｍｍの曲率半径、１．９８ｍｍの曲率半径、及び２．１５ｍｍの曲率半径によって定義される曲面と、正面側にセンターを有して、２２．９７ｍｍの曲率半径、１３．７４ｍｍの曲率半径、４．０７ｍｍの曲率半径、及び２．７０ｍｍの曲率半径によって定義される曲面とによって定義されることを特徴とする光学パッケージであると好ましい。
【０００９】
ここで、本願第２発明の前記中心レンズ部の背面には、前記発光部を収容する溝が形成されることを特徴とする光学パッケージであると好ましい。
ここで、本願第２発明の前記中心レンズ部は、前記溝を経由して前記発光部と密着して、前記発光部から発散された光は、前記中心レンズ部、周辺レンズ部、及び導光部に直接印加されることを特徴とする光学パッケージであると好ましい。
【００１０】
ここで、本願第２発明の前記溝には空気層が形成され、前記発光部から発散された光は、前記空気層を経由して前記中心レンズ部、周辺レンズ部、及び導光部に印加されることを特徴とする光学パッケージであると好ましい。
ここで、本願第２発明の前記導光部のフロント面は、前記周辺レンズ部のエッジから延長された平面であることを特徴とする学パッケージであると好ましい。
【００１１】
ここで、本願第２発明の前記導光部のフロント面は、前記周辺レンズ部のエッジから延長されながら傾斜する曲面であることを特徴とする光学パッケージであると好ましい。
ここで、本願第２発明の前記導光部の厚さは、４．５ｍｍ以下であることを特徴とする光学パッケージであると好ましい。
ここで、本願第２発明の前記導光部の材質は、前記周辺レンズ部の材質と同じであることを特徴とする光学パッケージであると好ましい。導光部及び周辺レンズ部の材質が同じであるので、導光部及び周辺レンズ部を一体形成することができる。
【００１２】
本願第３発明は、第１発明において、前記レンズ部のそれぞれは、平面で観察する時に円形形状であることを特徴とする請求項１記載の光学パッケージを提供する。
本願第４発明は、第１発明において、前記導光部の一面は、前記レンズ部のエッジから延長された平面であることを特徴とする光学パッケージを提供する。
本願第５発明は、第１発明において、前記導光部の一面は、前記レンズ部のエッジから延長された傾斜する曲面であることを特徴とする光学パッケージを提供する。
【００１３】
本願第６発明は、第１発明において、前記レンズ部は中心部が凸形状を有し、周辺部が前記中心部を外側で収容する凹形状を有することを特徴とする光学パッケージ。
本願第７発明は、第６発明において、前記凸形状は複数の可変曲率によって定義され、前記凹形状は複数の可変曲率によって定義されることを特徴とする光学パッケージを提供する。
【００１４】
本願第８発明は、第６発明において、前記レンズ部は、頂点部が中心部から離隔された凸形状を有することを特徴とする光学パッケージを提供する。
本願第９発明は、第６発明において、前記中心部は頂点部が中心部から離隔された凸形状を有し、前記凸形状は複数の可変曲率によって定義され、前記凹形状は複数の可変曲率によって定義されることを特徴とする光学パッケージを提供する。
【００１５】
本願第１０発明は、第９発明において、前記凸形状は中心部から周辺部に進行するにつれて、２．７６ｍｍの曲率半径、１．９８ｍｍの曲率半径、２．１５ｍｍの曲率半径、４．０７ｍｍの曲率半径、及び２２．９７ｍｍの曲率半径によって定義されることを特徴とする光学パッケージを提供する。
本願第１１発明は、第１発明において、前記レンズ部の背面部には、前記発光部を収容する溝が形成されることを特徴とする光学パッケージを提供する。
【００１６】
本願第１２発明は、第１１発明において、前記レンズ部は、前記溝を経由して前記発光部と密着することを特徴とする光学パッケージを提供する。
本願第１３発明は、第１１発明において、前記溝には空気層が形成され、前記発光部から発散された光は、前記空気層を経由して前記レンズ部及び導光部に印加されることを特徴とする光学パッケージを提供する。
【００１７】
空気層とレンズ部及び導光部との屈折率の違いにより光の進行方向を変化させることで、光の均一性を向上することができる。
本願第１４発明は、第１発明において、
前記導光部は、前記周辺レンズ部を取り囲む四角形状であることを特徴とする請求項１４記載の光学パッケージ。
【００１８】
本願第１５発明は、第９発明において、前記頂点部が中心部から離隔された凸形状は、中心部から周辺部に進行するにつれて、前記中心レンズ部にセンターを有して、２．７６ｍｍの曲率半径、１．９８ｍｍの曲率半径、及び２．１５ｍｍの曲率半径によって定義される曲面と、正面側にセンターを有して、２２．９７ｍｍの曲率半径、１３．７４ｍｍの曲率半径、４．０７ｍｍの曲率半径、及び２．７０ｍｍの曲率半径によって定義される曲面とによって定義されることを特徴とする光学パッケージを提供する。
【００１９】
本願第１６発明は、第１発明において、前記導光部の厚さは、４．５ｍｍ以下であることを特徴とする光学パッケージを提供する。
本願第１７発明は、第１発明において、前記導光部の材質は、前記周辺レンズ部の材質と同じであることを特徴とする請求項１３記載の光学パッケージを提供する。
本願第１８発明は、凸形状を有する中心レンズ部と、
凹形状を有して、前記中心レンズ部の外側に形成された周辺レンズ部と、
前記周辺レンズ部から延長された導光部と、
を含む光学レンズ。
【００２０】
本願第１９発明は、第１８発明において、前記凸形状は複数の可変曲率によって定義され、前記凹形状は複数の可変曲率によって定義されることを特徴とする光学レンズを提供する。
本願第２０発明は、第１８発明において、前記導光部の厚さは、均一であることを特徴とする光学レンズを提供する。
【００２１】
本願第２１発明は、第１８発明において、前記導光部の厚さは、前記中心レンズ部から離れるほど薄くなることを特徴とする光学レンズを提供する。
本願第２２発明は、第１８発明において、前記中心レンズ部は、頂点部が中心部から離隔された凸形状を有することを特徴とする光学レンズを提供する。
本願第２３発明は、第１８発明において、前記中心レンズ部、周辺レンズ部、及び導光部の材質は、ポリメチルメタクリレート系列レジン（ｐｏｌｙｍｅｔｈｙｌｍｅｔｈａｃｒｙｌａｔｅ−ｓｅｒｉｓｅｓ  ｒｅｓｉｎ、ＰＭＭＡ）であることを特徴とする光学レンズを提供する。  本願第２４発明は、第１領域及び前記第１領域を取り囲む第２領域を有するベース基板と、前記第１領域に配置され、（ａ）複数の発光部と、（ｂ）凸形状の中心部を収容する凹形状を有して、前記発光部のそれぞれに対応して複数のレンズ部を定義しながら、前記レンズ部のそれぞれのサイド方向に延長されたレンズプレートを含む光学パッケージと、を含むことを特徴とするバックライトアセンブリを提供する。
【００２２】
本願第２５発明は、第２４発明において、前記レンズ部のそれぞれは、凸形状を有する中心レンズ部と、凹形状を有して前記中心レンズ部の外側に形成された周辺レンズ部とを含み、前記レンズプレートは、前記周辺レンズ部から延長された導光部を定義することを特徴とするバックライトアセンブリ。
本願第２６発明は、第２４発明において、互いに隣接する光学レンズの間には、中間導光部材が更に介在されることを特徴とするバックライトアセンブリを提供する。
【００２３】
本願第２７発明は、第２６発明において、前記中間導光部材は、シリコンを含むことを特徴とするバックライトアセンブリを提供する。
本願第２８発明は、第２４発明において、前記ベース基板の第２領域上に配置され、前記発光部から出射された光を反射する反射部を更に含むことを特徴とするバックライトアセンブリを提供する。
【００２４】
本願第２９発明は、第２４発明において、前記発光部は、点光源であることを特徴とするバックライトアセンブリを提供する。
本願第３０発明は、第２４発明において、前記発光部は、発光ダイオードであることを特徴とするバックライトアセンブリを提供する。
本願第３１発明は、第２４発明において、前記発光部は、赤色発光素子、緑色発光素子、青色発光素子を含むことを特徴とするバックライトアセンブリを提供する。
【００２５】
本願第３２発明は、第２４発明において、前記発光部は、１つの赤色発光素子、２つの緑色発光素子、１つの青色発光素子を含むことを特徴とするバックライトアセンブリを提供する。
本願第３３発明は、光を利用して画像を表示する表示パネルと、（ａ）第１領域及び前記第１領域を取り囲む第２領域を有するベース基板と、（ｂ）前記第１領域に配置された複数の発光部と、（ｃ）凸形状を有して前記発光部のそれぞれをカバーする複数の中心レンズ部、凹形状を有して前記中心レンズ部の外側に形成された周辺レンズ部、及び前記周辺レンズ部から延長された導光部を定義する複数の光学レンズを含んで前記表示パネルに光を出射するバックライトアセンブリと、を含むことを特徴とする表示装置を提供する。
【００２６】
本願第３４発明は、第２４発明において、光を利用して画像を表示する表示パネルと、（ａ）第１領域及び前記第１領域を取り囲む第２領域を有するベース基板と、（ｂ）前記第１領域に配置された複数の発光部と、（ｃ）凸形状の中心部を収容する凹形状を有して、前記発光部のそれぞれに対応して複数のレンズ部を定義しながら、前記レンズ部のそれぞれのサイド方向に延長されたレンズプレートを含んで前記表示パネルに光を出射するバックライトアセンブリと、を含むことを特徴とする表示装置を提供する。
【発明の効果】
【００２７】
このような光学レンズ、これを有する光学パッケージ、バックライトアセンブリ、及び表示装置によると、発光ダイオード上に配置される光学レンズに導光機能を付与することによって、前記発光ダイオードから出射される光の均一度を向上させることができる。
【発明を実施するための最良の形態】
【００２８】
以下、添付図面を参照して、本発明をより詳細に説明する。
＜光学レンズの実施例１＞
図１は、本発明の一実施例による光学レンズを示す斜視図であり、図２は、図１に図示された光学レンズの原理を説明する概念図である。特に、導光機能が付与された光学レンズの導光部の厚さが同じであることを図示する。ここで、導光機能が付与された光学レンズとは、本来のレンズの役割と共にレンズプレートの役割、即ち、全反射を通じた光の分布を均一にする役割を行うレンズを称する。
【００２９】
図１及び図２を参照すると、光学レンズ１０は、中心レンズ部１２、周辺レンズ部１４、及び導光部１６を含む。前記中心レンズ部１２の背面には、発光ダイオード（ＬＥＤ）等の発光素子を収容するための溝１８が形成される。前記溝１８の形状は、前記発光素子の形状に適応する。この溝１８には、例えば空気層が形成され、発光ダイオード（ＬＥＤ）等の発光素子から発散された光が、空気層を経由してレンズ部及び導光部に印加される。このとき、空気層とレンズ部及び導光部との屈折率の違いにより光の進行方向が変化する。
【００３０】
前記中心レンズ部１２は、フロント側（ｚ−軸）に向かって、相対的に突出された凸形状を有する。前記中心レンズ部１２は、平面（ｘ−ｙ平面）で観察する時に円形形状を有する。前記中心レンズ部１２は、中心レンズ部１２の各地点における曲率が互いに異なる曲面によって定義される。前記凸形状の中心レンズ部１２は、一種の凸レンズの役割を行う。前記中心レンズ部１２の等高線は、互いに平行でも良く、いずれか一方に偏っても良い。即ち、図１に示すように、任意の領域に存在する等高線の密度は相対的に高く、他の領域に存在する等高線の密度は相対的に低い。
【００３１】
前記周辺レンズ部１４は、前記中心レンズ部１２を収容する凹形状を有して、前記中心レンズ部１２の外側に形成される。前記周辺レンズ部１４は、フロント側（ｚ−軸）に向かって相対的に凹形状を有する。前記周辺レンズ部１４は、平面（ｘ−ｙ平面）で観察する時、前記中心レンズ部１２を取り囲むドーナツ形状を有する。前記周辺レンズ部１４は、周辺レンズ部１４の各地点における曲率が互いに異なる曲面によって定義される。前記凹形状の周辺レンズ部１４は、一種の凹レンズの役割を行う。前記周辺レンズ部１４の等高線は、互いに平行でも良く、いずれか一方に偏っても良い。即ち、図１に示すように、任意の領域に存在する等高線の密度は相対的に高く、他の領域に存在する等高線の密度は相対的に低い。
【００３２】
前記導光部１６は、前記周辺レンズ部１４から延長される。前記導光部１６は、フロント側（ｘ−ｙ平面）に対応して、フラットな平面を有する。図１では、前記導光部１６が前記周辺レンズ部１４を取り囲む四角形状を図示したが、前記周辺レンズ部１４を取り囲むドーナツ形状、楕円形状のような多様な形状が可能である。
図２を参照して、光学レンズ１０の溝１８に収容された発光ダイオード（ＬＥＤ）で光が出射されることによって、中心レンズ部１２、周辺レンズ部１４、及び導光部１６によって変化する光特性を説明する。
【００３３】
前記中心レンズ部１２に入射される光は、相対的に凸形状の界面によって屈折され、バックライトユニットを明るくする光として利用される。即ち、前記中心レンズ部１２の界面に入射された光は、入射角より大きい透過角を有して、外部の空気領域に出射される。例えば、図１において、入射角θ１＜透過角θ２であり、また入射角θ３＜透過角θ４である。スネルの法則（ｓｎｅｌｌ’ｓ  ｌａｗ）によって光学レンズの屈折率（例えば、１．５）が空気領域（例えば、１）の屈折率より大きいためである。
【００３４】
図２で光学レンズ１０の界面から出射されずに光学レンズ１０内部に反射される反射光は、入射角と同じ角度の反射角を有する。前記した反射光の図示は省略する。
一方、前記周辺レンズ部１４に入射される光は、相対的に凹形状の界面によって光学レンズ１０の外側方向に屈折され透過され、前記屈折され透過される光は、前記導光部１６を経由しながら、より外側に屈折され出射される。例えば、周辺レンズ部１４への入射光ａ１は、凹形状の界面により屈折されて透過光ａ２となって導光部１６を経由し、さらに透過光ａ２は導光部１６から出射光ａ３として出射される。つまり、前記周辺レンズ部１４の曲面は、光学レンズの内側を経由する光又は光学レンズの外側を経由する光の経路を変更（第１経路変更）し、前記導光部１６は、前記曲面部によって第１経路変更された光を受けてさらに経路を変更（第２経路変更）させて出射する。
【００３５】
具体的に、前記周辺レンズ部１４の曲面は、中心部に具備される発光ダイオード（ＬＥＤ）から３０°未満のように、相対的に小さい傾斜角を有するように形成される。つまり、図１中、例えば発光ダイオードからの光が入射されるポイントＰ１やＰ２における、周辺レンズ部１４の曲面の傾斜角は例えば３０°未満であり、相対的に小さい。従って、前記周辺レンズ部１４の内部曲面に入射される光は殆ど透過されず、反射され導光部１６に提供される。例えば、内部曲面に入射される入射光ａ１はほぼ反射されて透過光ａ２として導光部１６に導入される。一方、前記周辺レンズ部１４の外部曲面に入射される光の一部は、一定の反射角を有して外部の空気領域に反射される反面、残りは一定の透過角を有して前記周辺レンズ部１４を経由して、前記導光部１６に提供される。例えば、外部曲面に入射される入射光ａ４は、外部の空気領域に反射光ａ５として反射され、さらに透過光ａ６として導光部１６に導入される。
【００３６】
前記導光部１６は、前記周辺レンズ部１４から延長されるので、前記周辺レンズ部１４から提供される光の経路をガイドして、フロント方向やサイド方向を通じて出射する。例えば、前記周辺レンズ部１４の内部曲面によって反射された光ａ２は、入射角θ５に対して相対的に大きな透過角θ６を有するように、側部のフロント方向に出射する。また、前記周辺レンズ部１４の曲面を経由する透過光ａ６は、入射角θ７に対して相対的に大きな透過角θ８を有するように側部のリヤ方向に出射する。
【００３７】
このように、導光機能が付与された光学レンズのフロント方向に出射される光は、バックライトユニット（ＢＬＵ）の輝度を増加させることができ、前記光学レンズのサイド方向に出射される光は、バックライトユニット（ＢＬＵ）の均一性を増加させることができる。
図３は、図１に図示された光学レンズの可変曲率を説明する概念図である。
【００３８】
図１乃至図３を参照すると、中心レンズ部１２は、頂点部が中心部よりも離れた位置に設けられている凸形状を有している。この前記頂点部が中心部から離隔された凸形状は複数の可変曲率によって定義される。また、中心レンズ部１２の中心に位置する凹形状は複数の可変曲率によって定義される。
具体的に、前記中心レンズ部１２は、前記光学レンズ１０の中心から外郭に進行することによって、背面側で定義されるセンターを有する（前記中心レンズ部１２の内部に中心が位置する）２．７６ｍｍの曲率半径を有する第１曲面（ａ）と、前記第１曲面と連結されながら１．９８ｍｍの曲率半径を有する第２曲面（ｂ）と、前記第２曲面と連結されながら２．１５ｍｍの曲率半径を有する第３曲面（ｃ）と、フロント側で定義される中心を有する（前記中心レンズ部１２の外部に中心が位置する）前記第３曲面と連結されながら２２．９７ｍｍの曲率半径を有する第４曲面（ｄ）と、前記第４曲面と連結されながら１３．７４ｍｍの曲率半径を有する第５曲面（ｅ）によって定義される。これによって、前記中心レンズ部１２は、断面で観察する時に相対的に凸形状を定義する。
【００３９】
又、前記周辺レンズ部１４は、前記光学レンズ１０の中心から外郭に進行することによって、前記光学レンズ１０のフロント側で定義されるセンターを有して前記第５曲面と連結されながら４．０７ｍｍの曲率半径を有する第６曲面（ｆ）と、第６曲面と連結されながら２．７０ｍｍの曲率半径を有する第７曲面（ｇ）によって定義される。これによって、前記周辺レンズ部１４は、断面で観察する時、相対的に凹形状を定義する。
【００４０】
また、中心レンズ部１２の凸形状は、前述の２．７６ｍｍ、１．９８ｍｍ及び２．１５ｍｍの曲率半径によって定義される曲面と、２２．９７ｍｍ、１３．７４ｍｍ、４．０７ｍｍ及び２．７０ｍｍの曲率半径によって定義される曲面とによって定義されるということができる。
前記した本発明の一実施例では、中心レンズ部の頂点部が中心部から離隔された凸形状を有することを説明したが、前記中心レンズ部の頂点部が中心部から離隔しない凸形状を有しながら、複数の可変曲率によって定義されるように具現することもできる。
【００４１】
前記した本発明の一実施例では、一つの発光ダイオードに対応して、物理的に分離された一つの光学レンズを説明した。しかし、当業者なら複数の発光ダイオードに対応して一体に具現された光学レンズの具現も可能である。
＜光学パッケージの実施例１＞
図４は、本発明の一実施例による光学パッケージの斜視図である。特に、一実施例による光学レンズが一体に形成されることを図示する。
【００４２】
図４を参照すると、本発明の一実施例による光学パッケージ２０は、複数の発光ダイオード２２及びレンズプレート２４を含み、高均一度の光を出射する。
前記発光ダイオード２２は、平面上に配置される。図４では、１６個の発光ダイオードがマトリックスタイプに配置されたことを図示する。
前記レンズプレート２４は、前記発光ダイオード２２のそれぞれに対応して定義される中心レンズ部、周辺レンズ部、及び導光部を有して、前記発光ダイオード２２上に配置される。前記中心レンズ部の底部には、発光ダイオード２２の収納のための溝が形成される。前記中心レンズ部、周辺レンズ部、及び導光部については、図１で説明したので、その説明は省略する。
【００４３】
＜光学パッケージの実施例２＞
図５は、本発明の他の実施例による光学パッケージの斜視図である。特に、一実施例による光学レンズが接続部材によって物理的に連結されたことを図示する。
図５を参照すると、本発明の他の実施例による光学パッケージ３０は、複数の発光ダイオード３２、複数の光学レンズ３４、及び接続部材３６を含み、高均一度の光を出射する。
【００４４】
前記発光ダイオード３２は、平面上に配置される。図５では、１６個の発光ダイオードがマトリックスタイプに配置されることを図示する。
前記光学レンズ３４のそれぞれは、中心レンズ部、周辺レンズ部、及び導光部を有して、それぞれの発光ダイオード３２上に配置される。前記光学レンズ３４については、図１で説明したので、その説明は省略する。
【００４５】
前記接続部材３６は、互いに隣接する光学レンズ間に介在され、互いに隣接する光学レンズ間に空気層が挿入されることを遮断する。前記接続部材は、光学レンズの屈折率と殆ど同じ材質で形成されることを好ましい。これにより、光学レンズ間において光の進行方向が変化するのを防止し、各光学レンズで光の進行方向を精度良く調整することができる。通常的に、光学レンズがＰＭＭＡ材質で形成されることを勘案すると、前記接続部材３６は、前記ＰＭＭＡ材質の屈折率と殆ど同じ屈折率を有するシリコンであることが好ましい。
【００４６】
これによって、任意の光学レンズの導光部を通じて出射された光は、シリコン部材３６を経由して隣接する光学レンズの導光部に伝達される。
このように、光学レンズを互いに隣接するように配列することによって、光学レンズ自体の役割をすると同時に、光学レンズ間に空間が発生しないように、別のシリコンを通じて密封することによって、光学レンズのサイド方向がレンズプレートの役割まで行うようにすることができる。
【００４７】
＜光学レンズの実施例２＞
図６は、本発明の他の実施例による光学レンズを示す斜視図である。図７は、図６に図示された光学レンズの原理を説明する概念図である。特に、導光機能が付与された光学レンズの導光部の厚さが互いに異なることを図示する。
図６及び図７を参照すると、光学レンズ４０は、中心レンズ部４２、周辺レンズ部４４、及び導光部４６を含む。
【００４８】
前記中心レンズ部４２の背面には、発光ダイオード（ＬＥＤ）のような発光素子を収容するための溝４８が形成される。前記溝４８の形状は、前記発光素子の形状に適応する。
前記中心レンズ部４２は、フロント側（Ｚ方向）に向かって相対的に突出された凸形状を有する。前記中心レンズ部４２は、平面で観察する時、円形形状を有する。前記中心レンズ部４２は、中心レンズ部１２の各地点における曲率が互いに異なる曲面によって定義される。
【００４９】
前記周辺レンズ部４４は、前記中心レンズ部４２を収容する凹形状を有して、前記中心レンズ部４２の外側に形成される。前記周辺レンズ部４４は、フロント側に向かって相対的に凹形状を有する。前記周辺レンズ部４４は、平面で観察する時に前記中心レンズ部４２を取り囲むドーナツ形状を有する。前記周辺レンズ部４４は、周辺レンズ部１４の各地点における曲率が互いに異なる曲面によって定義される。
【００５０】
前記導光部４６は、前記周辺レンズ部４４から延長される。前記導光部４６は、中心部から離れるほど厚さが薄くなる形状を有する。特に、前記導光部４６の背面はフラットな形状を有し、導光部４６のフロント面が背面側に傾斜する形状を有する。サイドで観察する時、前記フロント面は直線を定義することもでき、曲線を定義することもできる。図面では、前記導光部４６が前記周辺レンズ部４４を取り囲む四角形状を図示したが、前記周辺レンズ部４４を取り囲むドーナツ形状、楕円形状のような多様な形状が可能である。
【００５１】
そうすると、図７を参照して発光ダイオード（ＬＥＤ）から光が出射されることによって、中心レンズ部４２、周辺レンズ部４４、及び導光部４６によって変更される光特性について説明する。
前記中心レンズ部４２に入射される光は、相対的に凸形状の界面によって屈折され、バックライトユニットを明るくする光として利用される。即ち、前記中心レンズ部４２の界面に入射された光は、入射角より大きい透過角を有して外部の空気領域に出射される。例えば、図７において、入射角θ１１＜透過角θ１２である。スネルの法則によって光学レンズの屈折率（例えば、１．５）が空気領域（例えば、１）の屈折率より大きいためである。図６で界面に反射される反射光は、入射角と同じ角度の反射角を有する。
【００５２】
一方、前記周辺レンズ部４４に入射される光は、相対的に凹形状の界面によって光学レンズ４０の外側方向に屈折され透過され、前記屈折され透過される光は、前記導光部４６を経由しながら、より外側方向に屈折され出射される。例えば、周辺レンズ部４４への入射光ａ１１は、凹形状の界面により屈折されて透過光ａ１２となって導光部４６を経由し、さらに透過光ａ１２は導光部４６から出射光ａ１３として出射される。つまり、この際、前記周辺レンズ部４４の曲面は、光学レンズの内側を経由する光又は光学レンズの外側を経由する光の経路を変更（第１経路変更）する。前記導光部４６は、前記曲面部によって第１経路変更された光を受けて、さらに経路を変更（第２経路変更）させて出射する。
【００５３】
具体的に、前記周辺レンズ部４４の曲面は、中心部に具備される発光ダイオード（ＬＥＤ）から図５乃至図１０にように相対的に小さい傾斜角を有するように形成される。つまり、図７中、例えば発光ダイオードからの光が入射されるポイントＰ１１やＰ１２における、周辺レンズ部４４の曲面の傾斜角は例えば３０°未満であり、相対的に小さい。従って、前記周辺レンズ部４４の内部曲面に入射される光は殆ど透過されず、反射され導光部４６に提供される。例えば、内部曲面に入射される入射光ａ１１はほぼ反射されて透過光ａ１２として導光部１６に導入される。一方、前記周辺レンズ部４４の外部曲面に入射される光の一部は、一定の反射角を有して外部の空気領域に反射される反面、残りは一定の透過角を有して周辺レンズ部４４を経由して、導光部４６に提供される。例えば、外部曲面に入射される入射光ａ１４は、外部の空気領域に反射光ａ１５として反射され、さらに透過光ａ１６として導光部４６に導入される。
【００５４】
周辺に行くほど厚さが薄くなる前記導光部４６は、前記周辺レンズ部４４から延長され、前記周辺レンズ部４４から提供される光の経路をガイドして、フロント方向やサイド方向を通じて出射する。例えば、一定の曲率のエッジ部を有する導光部は、光が入射されるにつれて、前記光の入射角に対して相対的に大きい透過角を有するように側部のフロント方向に出射する。
【００５５】
このように、光学レンズのフロント方向に出射される光は、バックライトユニット（ＢＬＵ）の輝度を増加させ、前記光学レンズのサイド方向に出射される光は、バックライトユニット（ＢＬＵ）の均一性を向上させる。
図８は、本発明による光学レンズのフロント方向とサイド方向のそれぞれに抽出される光の効率をシミュレーションした結果を示すグラフである。
【００５６】
図８を参照すると、レンズプレート部分の厚さが厚くなることによって、サイド方向（ＳＩＤＥ  ＤＩＲ．）の光抽出効率は相対的に増加して、フロント方向（ＴＯＰ  ＤＩＲ．）の光抽出効率は相対的に減少する。
具体的に、前記レンズプレート部分の厚さがそれぞれ１ｍｍ、２ｍｍ、３ｍｍ、４ｍｍ、及び４．４ｍｍである時、サイド方向の光抽出効率は、それぞれ２％、６％、１１％、１６％、及び１７％であり、フロント方向の光抽出効率は、それぞれ９１％、８８％、８５％、８１％、及び８０％であることが確認できる。
【００５７】
従って、全体光の抽出効率は、厚さが４．５ｍｍである時、最大値（９７．６７％）を有することが分かる。
本発明による導光機能が付与された光学レンズは、フロント方向に約８０％の光を出射させ、サイド方向には約１８％の光を出射させる。特に、サイド方向に出射される光は、互いに隣接する光学レンズのレンズプレート部分に入射され、隣接する光学レンズに光を伝達させることができる。このような方式で光を広く分布させることによって、光の均一性を向上させることができる。
【００５８】
特に、導光機能が付与された光学レンズのレンズ部分は、サイド方向に光を分布させることができる凹形状を有することが好ましく、それと類似な構造を有する全ての光学レンズに対して、レンズプレート部分が均一に光を分布させることができる。
図９は、本発明による光学レンズによる光学測定結果を示すグラフである。
図９を参照すると、平面上で観察する時、光の分布を等高線形態に示し、前記等高線形態の横軸と縦軸の断面部のそれぞれに対応して、光速（ｆｌｕｘ）分布状態を示した。
【００５９】
光学レンズの中心部で相対的に輝度が高く、周辺部で相対的に輝度が低いことが観測された。しかし、光学レンズに導光機能が付与されたので、横軸や縦軸に対応しても、中心部で観測される輝度と周辺部で観測される輝度は、相対的に偏差が小さいことが確認できる。
一方、導光機能が付与された光学レンズの製作時に発生することができる作業公差部分に関する部分を、下記の図１０乃至図１４を参照して説明する。
【００６０】
図１０乃至図１４は、光学レンズの厚さ変化による光分布シミュレーション結果を示すグラフである。特に、図１０乃至図１４は、光学レンズの厚さが、それぞれ３．７ｍｍ、３．９ｍｍ、４．１ｍｍ、４．３ｍｍ、及び４．５ｍｍである時の光分布シミュレーション結果を示すグラフである。
図１０乃至図１４に示すように、光学レンズの厚さが４．５ｍｍである場合の光分布が以前の光分布に対して、少し悪くなったことが確認できる。これは、下記する図１５に示すように、光抽出効率が多少減少したためである。
【００６１】
図１５は、光学レンズの厚さ変化による光抽出効率の変化を示すグラフである。
図１５を参照すると、光学レンズの厚さが約４．４ｍｍである時、光抽出効率は７８．６９％である。光学レンズの厚さが減少されるにつれて光抽出効率は増加して、役８１％で飽和されることが分かる。即ち、光学レンズの厚さが４．２ｍｍである時、光抽出効率は８０．５％程度であり、４．０ｍｍである時、光抽出効率は８１％程度であり、３．８ｍｍである時、光抽出効率は８１．５％程度であることが分かる。よって、光抽出効率の減少を減らすためには、光学レンズの厚みは４．５ｍｍ以下であることが好ましい。
【００６２】
＜バックライトアセンブリの実施例＞
図１６は、本発明の一実施例によるバックライトアセンブリの分解斜視図である。特に、図１に図示された光学レンズを有するバックライトアセンブリを図示する。
図１６を参照すると、本発明の一実施例によるバックライトアセンブリ５０は、ベース基板５２、前記ベース基板５２上に配置された反射板５４、及び前記反射板５４上に配置された光学パッケージ５６を含む。
【００６３】
ベース基板５２は、第１領域及び第１領域を取り囲む第２領域を有しており、光学パッケージ５６は第１領域に配置される。また、前記光学パッケージ５６は、前述の光学パッケージと同様の構成であり、発光部５７及びレンズプレート５８を含み、高均一度の光を出射する。
反射板５４は、ベース基板５２の第２領域上に配置され、発光部５７出射された光を反射する。
【００６４】
前記発光部５７は、第１領域に配置され、点光源として複数の発光ダイオードを含む。前記発光部５７は、白色光を出射する複数の発光ダイオードで構成されることができる。前記発光部５７は、赤色発光ダイオード、緑色発光ダイオード、及び青色発光ダイオードで構成されることができ、前記発光部５７は、１つの赤色発光ダイオード、２つの緑色発光ダイオード、及び１つの青色発光ダイオードで構成されることもできる。
【００６５】
前記レンズプレート５８は、凸形状の中心部を収容する凹形状を有して、前記発光部５７のそれぞれに対応して複数のレンズ部を定義しながら、前記レンズ部のそれぞれのサイド方向に延長される。前記中心部は、前記発光部５７に対応して形成される。
図１６では、レンズプレートが円形形状のレンズ部を取り囲む形状を有することを図示したが、レンズプレートが四角形や五角形のような多様な形状が可能である。
【００６６】
又、前記レンズプレートが同じ厚さを有することを図示したが、レンズ部から離れるほど、厚さが薄くなるように構成することもできる。
又、前記発光部が互いに均一な間隔を有して配置されたことを図示したが、ランダムな間隔を有するように配置することもできる。これによって、レンズプレートに形成されたレンズ部間の間隔もランダムして具現されることが自明である。
【００６７】
＜液晶表示装置の実施例＞
図１７は、本発明の一実施例による液晶表示装置の分解斜視図である。
図１７を参照すると、液晶表示装置は、バックライトアセンブリ１００、ディスプレイアセンブリ２００、トップシャーシ３００、リヤケース４００、及びフロントケース５００を含む。
【００６８】
前記バックライトアセンブリ１００は、ベース基板１１０、反射シート１２０、複数の光学パッケージ１３０、光混合部材１４０、光学シート類１５０、及び収納容器１６０を含む。
前記ベース基板１１０には一連の導電性経路が形成され、複数の光学パッケージに一定の電源電圧を供給する。ここで、ベース基板ベース基板１１０は、第１領域及び第１領域を取り囲む第２領域を有しており、光学パッケージ１３０は第１領域に配置される。
【００６９】
前記反射シート１２０は、前記ベース基板１１０と光学パッケージ１３０との間に配置され、前記光学パッケージ１３０から出射された光が前記光混合部材１４０が形成されていない方向に露出されることを防止する。前記反射シート１２０は、ベース基板１１０上にコーティングされた反射層に代替されることができる。
前記光学パッケージ１３０は、前述の光学パッケージと同様の構成であり、発光部１３２及びレンズプレート１３４を含み、前記ベース基板１１０上に配置され、高均一度の光を出射する。前記光学パッケージ１３０は、それぞれ白色光を出射することもでき、赤色光、緑色光、及び青色光のうち、いずれか一つの光を出射することもできる。
【００７０】
前記光混合部材１４０は、前記光学パッケージ１３０の上部に対向して形成される。前記光混合部材１４０は、前記光学パッケージ１３０から出射された光が前記光学パッケージ１３０の外側に形成された空気で混合されるように、前記光を反射及び透過させる。この際、前記各光学パッケージ１３０から出射された赤色光、緑色光、及び青色光は、互いに混合され白色光を形成する。
【００７１】
前記光学シート類１５０は、拡散板１５２とプリズムシート１５４を含む。前記拡散板１５２は、前記光学パッケージ１１０から出射され、前記光混合部材１４０を透過した光を拡散させる。前記プリズムシート１５４は、前記拡散板１５２によって拡散された光を集光する。
前記収納容器１６０は、一部が開口された底部材１６２及び前記底部材１６２から垂直に延長された側壁部材１６４を含む。前記収納容器１６０の底部材１６２には、基板１１０、反射板１２０、光学パッケージ１３０、光混合部材１４０、及び光学シート１５０が順次に収納される。
【００７２】
前記ディスプレイアセンブリ２００は、画像を表示する液晶パネル部２１０、複数のデータ側及びゲート側テープキャリアパッケージ（以下、ＴＣＰ）２２０、２３０、及び統合印刷回路基板２４０を含む。
前記液晶パネル部２１０は、画素を表示するアレイ基板２１２、前記アレイ基板２１２と互いに対向するカラーフィルター基板２１４、及び前記アレイ基板２１２とカラーフィルター基板２１４との間に注入された液晶層（図示せず）を含む。
【００７３】
前記アレイ基板２１２のソース側には、前記複数のデータ側ＴＣＰ２２０が付着され、前記アレイ基板２１２のゲート側には、前記複数のゲート側ＴＣＰ２３０が付着される。前記データ側及びゲート側ＴＣＰ２２０、２３０は、前記液晶パネル部２１０の駆動及びその駆動時期を制御するための駆動信号とタイミング信号を前記液晶パネル部２１０に印加する。
【００７４】
前記データ側ＴＣＰ２２０は、一側がアレイ基板２１２に付着され、他側が統合印刷回路基板２４０に付着され、前記液晶パネル部２１０を前記統合印刷回路基板２４０と電気的に連結させる。前記ゲート側ＴＣＰ２３０は、前記アレイ基板２１２に付着され、前記液晶パネル部２１０を前記統合印刷回路基板２４０と電気的に連結させる。前記統合印刷回路基板２４０は、外部から電気的な信号の印加を受けて、前記データ側及びゲート側ＴＣＰ２２０、２３０に印加する。
【００７５】
前記液晶パネル部２１０に連結された前記データ側及びゲート側ＴＣＰ２２０、２３０は、前記収納容器１６０の前記側壁部材１６４の外側に沿って折曲され、前記統合印刷回路基板２４０は、前記底部材１６２の背面に装着される。
前記液晶パネル部２１０の上部には、固定手段であるトップシャーシ３００が具備される。前記トップシャーシ３００は、前記液晶パネル部２１０の有効ディスプレイ領域が露出されるようにカバーしながら、前記収納容器１６０と互いに対向するように結合して、前記ディスプレイユニット２００を固定する。
【００７６】
前記バックライトアセンブリ１００、ディスプレイアセンブリ２００、及びトップシャーシ３００は、前記リヤケース４００に収納され、前記リヤケース４００は、前記トップシャーシ３００の上部に具備されるフロントケース５００と互いに対向するように結合して、前記液晶表示装置を完成する。
以上で説明したように、本発明による光学レンズは、光をフロント方向に出射させるレンズ部分と共に、光の経路を折る曲面部分、及びその光を受けて伝達させるレンズプレート部分で構成され、下部に配置される発光ダイオードから出射される光の均一度を向上させることができる。
【００７７】
又、それぞれの発光ダイオードから赤色光、緑色光、青色光が出射されても、前記発光ダイオード上に配置される光学レンズに導光機能が付与されたので、色の混合領域を充分に確保することができる。これによって、赤色、緑色、青色のような斑点の発生は遮断されることができ、均一な特性の背面光が得られる。
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００７８】
本発明による光学パッケージは、例えばバックライトアセンブリや表示装置に適用可能である。
【図面の簡単な説明】
【００７９】
【図１】本発明の一実施例による光学レンズを示す斜視図である。
【図２】図１に図示された光学レンズの原理を説明する概念図である。
【図３】図１に図示された光学レンズの可変曲率を説明する概念図である。
【図４】本発明の一実施例による光学レンズが一体に形成された光学パッケージの斜視図である。
【図５】本発明の他の実施例による光学レンズアレイの斜視図である。
【図６】本発明の他の実施例による光学レンズを示す斜視図である。
【図７】図６に図示された光学レンズの原理を説明する概念図である。
【図８】フロント方向とサイド方向のそれぞれに抽出される光の効率をシミュレーションした結果を示すグラフである。
【図９】光学レンズアレイによる光学測定結果を示すグラフである。
【図１０】光学レンズの厚さ変化による光分布シミュレーション結果を示すグラフである。
【図１１】光学レンズの厚さ変化による光分布シミュレーション結果を示すグラフである。
【図１２】光学レンズの厚さ変化による光分布シミュレーション結果を示すグラフである。
【図１３】光学レンズの厚さ変化による光分布シミュレーション結果を示すグラフである。
【図１４】光学レンズの厚さ変化による光分布シミュレーション結果を示すグラフである。
【図１５】光学レンズの厚さ変化による光抽出効率の変化を示すグラフである。
【図１６】本発明の一実施例によるバックライトアセンブリの分解斜視図である。
【図１７】本発明の一実施例による液晶表示装置の分解斜視図である。
【符号の説明】
【００８０】
１０、３４、４０    光学レンズ
１２、４２    中心レンズ部
１４、４４    周辺レンズ部
１６、４６    導光部
２０、５６    光学パッケージ
２２、３２、５７    発光ダイオード
２４、５８    レンズプレート
３６    接続部材
５０    バックライトアセンブリ
５２    ベース基板
５４    反射板
１００    バックライトアセンブリ
２００    ディスプレイアセンブリ
３００    トップシャーシ
４００    リヤケース
５００    フロントケース
【図１】
2006302863.tif 000003
【図２】
2006302863.tif 000004
【図３】
2006302863.tif 000005
【図４】
2006302863.tif 000006
【図５】
2006302863.tif 000007
【図６】
2006302863.tif 000008
【図７】
2006302863.tif 000009
【図８】
2006302863.tif 000010
【図９】
2006302863.tif 000011
【図１０】
2006302863.tif 000012
【図１１】
2006302863.tif 000013
【図１２】
2006302863.tif 000014
【図１３】
2006302863.tif 000015
【図１４】
2006302863.tif 000016
【図１５】
2006302863.tif 000017
【図１６】
2006302863.tif 000018
【図１７】
2006302863.tif 000019